(57)【要約】【課題】ボルトやネジの締め忘れなどの作業不具合を削減し、かつ作業記録を作成する作業者の負担を軽減し、作業記録管理の効率化を図ることができる作業管理システムを提供することにある。【解決手段】本発明の作業管理システム１０は、作業対象物に複数設けられる作業対象部品に対する作業が設定値に達したとき作業完了信号を出力するリミットスイッチ４２と、前記作業対象部品ごとに着脱可能に取り付けて前記作業対象部品の各々を識別可能な識別コードを読取可能とする識別コード読取部４６と、を有する作業工具４０と、前記作業工具４０と電気的に接続し、前記作業対象部品に対する作業が設定値に達したときに出力された前記作業完了信号と、前記識別コードの識別情報を受信可能とし、表示画面上に図示された前記作業対象物上に識別した前記作業対象部品の位置情報を表示可能とする作業用端末２０と、を備えたことを特徴としている。【選択図】図２
2014170446.tif 000002
【特許請求の範囲】
【請求項１】
作業対象物に複数設けられる作業対象部品に対する作業が設定値に達したとき作業完了信号を出力するリミットスイッチと、前記作業対象部品ごとに着脱可能に取り付けて前記作業対象部品の各々を識別可能な識別コードを読取可能とする識別コード読取部と、を有する作業工具と、
前記作業工具と電気的に接続し、前記作業対象部品に対する作業が設定値に達したときに出力された前記作業完了信号と、前記識別コードの識別情報を受信可能とし、表示画面上に図示された前記作業対象物上に識別した前記作業対象部品の位置情報を表示可能とする作業用端末と、
を備えたことを特徴とする作業管理システム。
【請求項２】
前記識別コード読取部は、前記リミットスイッチが前記作業完了信号を出力したときに前記識別コードを読取可能としたことを特徴とする請求項１に記載の作業管理システム。
【請求項３】
前記作業用端末は、
少なくとも作業対象物の作業項目と前記作業項目の詳細作業項目を含む管理データを外部から読み込み可能な読取部と、
前記読取部が読み込んだ前記作業項目と前記詳細作業項目に入力可能なデータ入力部と、
前記作業対象物と前記詳細作業項目の作業対象部品の撮像画像を受信可能な画像保存部と、
作業データに用いる前記作業対象部品の前記作業完了信号と、前記識別コードの識別情報を受信可能とし、前記表示画面上に図示された前記作業対象物上に識別した前記作業対象部品の位置情報を表示可能とする制御部と、
を備えたことを特徴とする請求項１又は２に記載の作業管理システム。
【請求項４】
前記画像保存部へ前記撮像画像を送信可能に接続して、前記作業対象物と、前記作業対象部品を撮像可能な撮像端末と、
前記読取部に前記管理データを送信可能に接続して前記管理データを作成可能とし、前記制御部で作成した作業データを入力可能な管理用端末と、
を備えたことを特徴とする請求項１ないし３のいずれか一項に記載の作業管理システム。
【請求項５】
前記作業工具は、前記識別コード読取部の取り付け位置を前記識別コードに対し相対的な位置関係を調整可能な調整部を備えたことを特徴とする請求項１ないし４のいずれか一項に記載の作業管理システム。
【請求項６】
前記識別コードは、前記作業対象部品を囲む筒体と、前記筒体を支持すると共に、前記作業対象物に着脱可能な治具本体を備えた識別治具の前記筒体の外周に取り付けたことを特徴とする請求項１ないし５のいずれか一項に記載の作業管理システム。
【請求項７】
前記識別コードは、前記作業対象部品を囲むと共に、前記作業対象物に着脱可能な筒体の外周に取り付けたことを特徴とする請求項１ないし５のいずれか一項に記載の作業管理システム。
【請求項８】
作業対象物に複数設けられる作業対象部品に対する作業が設定値に達したとき作業完了信号を出力するリミットスイッチと、前記作業対象部品ごとに着脱可能に取り付けて前記作業対象部品の各々を識別可能な識別コードを読取可能とする識別コード読取部と、を有する作業工具を用いて、前記作業対象部品に作業を行い、
前記作業対象部品に対する作業が設定値に達したときに出力された前記作業完了信号と、前記作業対象部品の前記識別コードの識別情報を作業用端末で受信して、
前記作業用端末の画面上に図示された前記作業対象物に、前記作業完了信号と前記識別コードを読み込んだ前記作業対象部品の位置情報を表示可能とすることを特徴とする作業管理方法。
【請求項９】
前記作業対象部品の識別コードを読み取った後、撮像した前記作業対象部品の撮像画像を受信して記録すること特徴とする請求項８に記載の作業管理方法。
【発明の詳細な説明】
【技術分野】
【０００１】
本発明は、特に、複数のボルトやネジを設定トルク値に締め付けする作業を効率的に記録管理することができる作業管理システム及び作業管理方法に関する。
【背景技術】
【０００２】
保守点検時における設備機器のボルト締めなどの現場作業は、作業者がボルトを締め付けた後、作業班長による確認作業を行って、ボルトの締め付け忘れや締め付け不具合などを防止している。
しかし、複数のボルト締め付け作業では、締め付け不良、締め付け忘れが発生し易く、このような人為的なミスを完全に防止することは難しい。現行の人に頼った作業管理、教育では限界があり、防ぐのが困難な状況となっていた。
従来、このような作業不具合を解消するため、特許文献１−４のシステムが開示されている。
【０００３】
特許文献１に開示の管理システムは、あらかじめ作業者にワークの作業工程を行わせ、そのワークの作業位置を撮像したマスター画像を記憶している。そして、作業者が作業対象物の作業位置で作業を行い、その作業が完了する毎に作業位置の画像が撮像される。作業位置の撮像画像とマスター画像を照合して撮像画像とほぼ一致するマスター画像が特定されて、全てのマスター画像について作業位置が特定できれば、作業対象物に対する作業が完了したと判定している。
しかし、現場の環境、経年劣化、傷等により作業対象物が変化する場合があり、その後の作業時の撮像画像とマスター画像を比較するときに差異が生じて特定が困難となるおそれがある。また作業対象物が円形のフランジ上に形成された複数のボルトなどの様に類似した形状の場合は他のボルトと判別が困難で特定が極めて難しい。
【０００４】
特許文献２に開示の管理システムは、ネジ締めの設定トルク値に達すると解除機構が作動するトルクレンチを用いて、ネジに作用する締付トルクの変化の態様、例えば増加傾向から減少傾向に転じるピーク値をネジに実際に作用する締付トルクとしてネジの締め付け状態を管理するシステムである。
しかし、対象物に複数のネジがある場合には、既に締付作業を行ったネジと、これから締付作業を行うネジであるか否かの判別を行うことができず、このような判別について考慮されていない。また、構成部品に付された識別コードは対象物の設定トルクを呼び出すためのものである。
【０００５】
特許文献３に開示の管理システムは、工具を用いた作業が完了した旨の作業完了情報を出力する出力手段と、作業位置を側位する側位手段と、作業完了情報及び作業位置情報に基づいて作業完了箇所を特定する処理手段とを備え、実施される作業が完了した事実をその位置情報と共に把握することができる。
しかし、作業位置を側位するための工程、装置が複雑であり作業が煩雑となるおそれがある。
【０００６】
特許文献４に開示の管理システムは、ボルト締め付けトルクが所定値以上になると出力される締付完了信号をカウントし、カウント値が全作業完了に対応して予め定められた所定値以上になったか否か判断している。
しかし、複数のボルトを締め付け作業する場合、締め付け済みのボルトか否かの判断がなされていないため、同じボルトを締め付けるおそれがある。
【先行技術文献】
【特許文献】
【０００７】
【特許文献１】特開２０１０−２２４７４９号公報
【特許文献２】特開２０１０−１９４７０２号公報
【特許文献３】特開２００４−１１８３０４号公報
【特許文献４】特開平７−１０５４６９号公報
【発明の概要】
【発明が解決しようとする課題】
【０００８】
現状の作業工程では、作業に係る作業者が測定値などの作業状況を記入する点検記録シートを作成している。点検記録シートの記入作成には時間がかかり、誤記や記入漏れなどが生じるおそれがある。また、最終的にはデータ化して記憶するため、記録データを作成する作業者の負担を軽減することが望まれている。
そこで本発明が解決しようとする課題は、上記の問題点に鑑み、ボルトやネジの締め忘れなどの作業不具合を削減し、作業記録を作成する作業者の負担を軽減し、作業記録の管理の効率化を図ることができる作業管理システム及び作業管理方法を提供することにある。
【課題を解決するための手段】
【０００９】
本発明は、上記の課題を解決するための第１の手段として、作業対象物に複数設けられる作業対象部品に対する作業が設定値に達したとき作業完了信号を出力するリミットスイッチと、前記作業対象部品ごとに着脱可能に取り付けて前記作業対象部品の各々を識別可能な識別コードを読取可能とする識別コード読取部と、を有する作業工具と、前記作業工具と電気的に接続し、前記作業対象部品に対する作業が設定値に達したときに出力された前記作業完了信号と、前記識別コードの識別情報を受信可能とし、表示画面上に図示された前記作業対象物上に識別した前記作業対象部品の位置情報を表示可能とする作業用端末と、を備えたことを特徴とする作業管理システムを提供することにある。
【００１０】
本発明は、上記の課題を解決するための第２の手段として、上記第１の解決手段において、前記識別コード読取部は、前記リミットスイッチが前記作業完了信号を出力したときに前記識別コードを読取可能としたことを特徴とする作業管理システムを提供することにある。
【００１１】
本発明は、上記の課題を解決するための第３の手段として、上記第１又は第２の解決手段において、前記作業用端末は、少なくとも作業対象物の作業項目と前記作業項目の詳細作業項目を含む管理データを外部から読み込み可能な読取部と、前記読取部が読み込んだ前記作業項目と前記詳細作業項目に入力可能なデータ入力部と、前記作業対象物と前記詳細作業項目の作業対象部品の撮像画像を受信可能な画像保存部と、作業データに用いる前記作業対象部品の前記作業完了信号と、前記識別コードの識別情報を受信可能とし、表示画面上に図示された前記作業対象物上に識別した前記作業対象部品の位置情報を表示可能とする制御部と、を備えたことを特徴とする作業管理システムを提供することにある。
【００１２】
本発明は、上記の課題を解決するための第４の手段として、上記第１ないし３の解決手段において、前記画像保存部へ前記撮像画像を送信可能に接続して、前記作業対象物と、前記作業対象部品を撮像可能な撮像端末と、前記読取部に前記管理データを送信可能に接続して前記管理データを作成可能とし、前記制御部で作成した作業データを入力可能な管理用端末と、を備えたことを特徴とする作業管理システムを提供することにある。
【００１３】
本発明は、上記の課題を解決するための第５の手段として、上記第１ないし４の解決手段において、前記作業工具は、前記識別コード読取部の取り付け位置を前記識別コードに対し相対的な位置関係を調整可能な調整部を備えたことを特徴とする作業管理システムを提供することにある。
【００１４】
本発明は、上記の課題を解決するための第６の手段として、上記第１ないし５の解決手段において、前記識別コードは、前記作業対象部品を囲む筒体と、前記筒体を支持すると共に、前記作業対象物に着脱可能な治具本体を備えた識別治具の前記筒体の外周に取り付けたことを特徴とする作業管理システムを提供することにある。
【００１５】
本発明は、上記の課題を解決するための第７の手段として、上記第１ないし５の解決手段において、前記識別コードは、前記作業対象部品を囲むと共に、前記作業対象物に着脱可能な筒体の外周に取り付けたことを特徴とする作業管理システムを提供することにある。
【００１６】
本発明は、上記の課題を解決するための第８の手段として、作業対象物に複数設けられる作業対象部品に対する作業が設定値に達したとき作業完了信号を出力するリミットスイッチと、前記作業対象部品ごとに着脱可能に取り付けて前記作業対象部品の各々を識別可能な識別コードを読取可能とする識別コード読取部と、を有する作業工具を用いて、前記作業対象部品に作業を行い、前記作業対象部品に対する作業が設定値に達したときに出力された前記作業完了信号と、前記作業対象部品の前記識別コードの識別情報を作業用端末で受信して、前記作業用端末の画面上に図示された前記作業対象物に、前記作業完了信号と前記識別コードを読み込んだ前記作業対象部品の位置情報を表示可能とすることを特徴とする作業管理方法を提供することにある。
【００１７】
本発明は、上記の課題を解決するための第９の手段として、上記第８の解決手段において、前記作業対象部品の識別コードを読み取った後、撮像した前記作業対象部品の撮像画像を受信して記録すること特徴とする作業管理方法を提供することにある。
【発明の効果】
【００１８】
本発明によれば、上記のように、表示画面上に図示された作業対象物から作業が完了した作業対象部品を認識することができる。また、作業用端末を用いて容易に作業時の測定値や作業後の画像を記録することができる。そして作業後、表示画面上に作業済みの作業対象部品をマーキングすることにより作業対象物の複数の作業対象部品を特定することができる。従って、ネジの締め忘れなどの作業不具合を防止して、作業記録を容易に作成することができる。
【００１９】
本発明によれば、上記のように、作業が完了した作業対象部品の識別コードの識別情報を取得することにより、人手に頼らず作業が完了したボルトの締付情報と位置情報を正確に把握して、点検記録を作成することができる。また、作業工具からボルトの締付情報と位置情報を容易に取得することができる。
【００２０】
本発明によれば、上記のように、作業用端末に作業工具からの作業完了信号と識別コードの識別情報、撮像端末からの撮像画像が送信されて記録された作業データを作成することができる。また作成された作業データは外部の管理用端末に送信することによりデータを一元管理することができる。
【００２１】
本発明によれば、上記のように、撮像画像中の複数の作業対象部品から特定の作業対象部品を容易に判別することができる。
本発明によれば、上記のように、筒体の外周から容易に識別コードを読み取ることができる。
本発明によれば、上記のように、狭隘な場所であっても容易に識別コードを取り付けることができる。また筒体の外周から容易に識別コードを読み取ることができる。
【図面の簡単な説明】
【００２２】
【図１】本発明の作業管理システムの構成概略図である
【図２】本発明の作業管理システムのブロック図である。
【図３】作業工具の構成概略図であり、（Ａ）は側面図、（Ｂ）は平面図、（Ｃ）は（Ａ）のＡ−Ａ断面図である。
【図４】作業工具の説明図である。
【図５】本発明の作業用端末の作業工程のフロー図である。
【図６】管理用端末の（Ａ）ログイン画面及び（Ｂ）メニュー画面の説明図である。
【図７】管理用端末の（Ａ）作業登録画面及び（Ｂ）更新履歴画面の説明図である。
【図８】管理用端末の（Ａ）作業時間画面及び（Ｂ）詳細作業時間画面の説明図である。
【図９】作業用端末のログイン画面の説明図である。
【図１０】作業用端末のチェックイン・チェックアウト画面の説明図である。
【図１１】作業用端末のログイン画面及び作業選択画面の説明図である。
【図１２】作業用端末の作業前登録画面の説明図である。
【図１３】作業用端末の（Ａ）トルクレンチ設定画面及び（Ｂ）作業中画面の説明図である。
【図１４】作業用端末の作業中画面における（Ａ）締付作業の実施の説明図及び（Ｂ）作業終了の説明図である。
【図１５】識別治具の説明図である。
【図１６】変形例の識別治具の（Ａ）斜視図、（Ｂ）側面図、（Ｃ）底面図である。
【図１７】作業データ管理リスト表の説明図である。
【発明を実施するための形態】
【００２３】
本発明の作業管理システム及び作業管理方法の実施形態を添付の図面を参照しながら、以下詳細に説明する。図１は本発明の作業管理システムの構成概略図である。図２は本発明の作業管理システムのブロック図である。本実施形態では、作業対象となる弁に用いるフランジなどを作業対象物１２とし、締付作業を行う弁を構成するボルト、ネジなどの付属品を作業対象部品１４として以下説明する。
【００２４】
図示のように本発明の作業管理システム１０は、作業者が現場に持ち込み操作可能な作業用端末２０と、作業の様子を撮影し、撮像画像を作業用端末２０に送信可能な撮像端末３０と、作業に用いる工具であって測定値を作業用端末２０に送信可能な作業工具４０と、現場から離れた事務所などの管理場所に設置され、作業用端末２０との間でデータ送信及びデータ受信可能な管理用端末５０を主な基本構成としている。
【００２５】
作業用端末２０は、少なくとも作業対象物の作業項目と作業項目の詳細作業項目を含む管理データを外部から読み込み可能な読取部２２と、読取部２２が読み込んだ作業項目と詳細作業項目に入力可能なデータ入力部２４と、作業対象物と詳細作業項目の作業対象部品の撮像画像を受信して加工処理可能な画像保存部２６と、詳細作業項目に用いる作業対象部品の作業完了信号と、識別コードの識別情報を受信可能とし、表示画面上に作業対象物を図示して詳細作業項目で選択された作業対象物上の作業を行った作業対象部品に選択マークを付けて、作業対象部品の撮像画像を記録して、表示画面上の前記選択マークを完了マークに変更表示して記録する作業データを作成可能な制御部２８と、作業データや管理データを一時保管するデータ保存管理部２９と、を備えている。
【００２６】
読取部２２は、管理用端末５０のデータ保存管理部５４から送信された管理データを読み取りするものである。管理データは、管理者があらかじめ登録した作業の管理ＮＯ、作業内容、関連機器、作業対象、詳細作業などのデータである。
データ入力部２４は、現場作業に係る作業者、作業班長、現場監督の氏名、暗証番号などの作業者情報と、作業項目、詳細作業項目、作業工具の設定値などを入力又は選択するものである。
画像保存部２６は、撮像端末３０で撮像された撮像画像を受信して、作業用端末２０の表示画面上の表示箇所に表示可能な画像に加工処理するものである。
制御部２８は、作業用端末２０の動作を制御するものである。制御部２８には、作業工具４０から送信された測定値と、画像保存部２６からの画像データが入力される。制御部２８は、管理用端末５０から読み取った管理データに基づいて、作業データに現場作業の作業完了信号となる測定値と、識別コードの識別情報と、撮像画像を記録している。そして制御部２８は、データ入力部２４の入力データを作業データ上に記録して、作業記録を作成している。制御部２８は、入力データに基づいて作業開始時間と作業終了時間を記録している。制御部２８は、あらかじめ登録されている作業対象の作業対象部品数と実際に行った作業回数の差分をとって残りの作業回数を判定することができる。
【００２７】
データ保存管理部２９は、制御部２８で作成された作業データや、管理用端末５０から読み取られた管理データが入力されて一時保管するものである。
撮像端末３０は、作業者が現場の作業対象物及び作業対象部品に対して作業を実際に行っている様子を撮影可能なカメラである。撮像端末３０は、作業用端末２０の画像保存部２６と無線又は有線により電気的に接続し、撮像画像を画像保存部２６へ送信可能な構成としている。本実施形態の撮像端末３０は、作業者が実際に作業対象物を作業する前の状態と、作業者が作業工具を用いて作業対象部品を作業した様子を撮像することができるような位置に取外し可能に取り付けている。このような撮像端末３０は、作業対象物上に複数の作業対象部品がある場合に、作業が完了した作業対象部品を個別に撮像するように構成している。撮像端末３０は、一例として自動露出と自動焦点の調整が行え、光学情報を電気信号に変換するＣＣＤカメラを用いることができる。
【００２８】
図３は作業工具の構成概略図であり、（Ａ）は側面図、（Ｂ）は平面図、（Ｃ）は（Ａ）のＡ−Ａ断面図である。図４は作業工具の説明図である。作業工具４０は、ボルト、ネジなどの作業対象部品１４の締付作業を行うための工具である。本実施形態では、一例としてトルクレンチを用いて説明する。トルクレンチには、リミットスイッチ４２（図３には不図示）と、工具制御部４４（図３には不図示）と、識別コード読取部４６と、調整部４８と、送信手段４９が設けられている。
【００２９】
リミットスイッチ４２は、トルクレンチによるボルト、ネジの締め付けが所定のトルク設定値に達して、トルク設定値以上の締付力がかかると解除されるスイッチである。そしてリミットスイッチ４２は、トルクレンチによる締め付け力が設定値に達して締め付け作業が完了したことを示す作業完了信号を発生させて、作業用端末２０の制御部２８と、後述する工具制御部４４へ送信している。
工具制御部４４は、リミットスイッチ４２の作業完了信号が入力されると識別コード読取部４６を起動させる制御信号を識別コード読取部４６へ送信している。
【００３０】
識別コード読取部４６は、作業対象物１２に複数設けられる作業対象部品１４の各々を識別可能な識別コードを読み取る手段である。識別コード読取部４６は、一例としてバーコードリーダ、ＲＦＩＤリーダなどを用いることができる。
本実施形態の識別コードは、作業対象物に複数設けられている作業対象部品の位置情報などを示す識別情報である。図１５は識別治具の説明図である。図示のように識別コード７０は、識別治具８０に取り付けられている。識別治具８０は、筒体８２と治具本体８４から構成されている。筒体８２は、作業対象部品１４となるボルト、ネジを平面視で外周を囲む筒状の部材である。筒体８２は、トルクレンチのコマの長さよりも短くなるように設定されている。これにより、トルクレンチの締め付け作業時に筒体８２とトルクレンチが接触することがなく、締め付け不足を防止することができる。治具本体８４は、図示のように作業対象物１２のフランジに嵌め合わせることができるリング状に形成されている。なお、治具本体８４は、半円形の２つの部材を互いに接続してリング状に形成するようにしても良い。このような構成の治具本体８４であれば、配管の途中に設けられたフランジであっても取り付けることができる。治具本体８４の作業対象部品１４と対向する箇所には、作業対象部品１４となるボルト、ネジが露出する孔が形成されている。孔には筒体８２が取り付けられている。筒体８２の外周には、識別コード７０が周状に形成されている。識別コード７０は、複数の作業対象部品１４の中から作業を行った作業対象部品１４を識別する位置情報を示すものであり、一例としてバーコードなどの一次元コード、ＲＦＩＤなどを用いることができる。
【００３１】
図１６は変形例の識別治具の（Ａ）斜視図、（Ｂ）側面図、（Ｃ）底面図である。図示のように変形例の識別治具８０Ａは、前述の筒体のみの構成である。筒体８２Ａの外周には識別コード７０が周状に形成されている。また、筒体８２Ａの底面には、粘着テープ、マグネットなどの着脱手段８６が形成されている。この識別治具８０Ａを作業対象物１２に複数形成された作業対象部品１４のそれぞれに取り付けている。このような構成の識別コード７０によれば、識別コード読取部４６によって筒体８２側面のあらゆる方向から識別コード７０を認識することができる。
【００３２】
調整部４８は、識別コード読取部４６の取り付け位置を識別コード７０に対し相対的な位置関係を調整することができる。具体的な調整部４８の構成は、Ｌ字部材４８ａと、カバー４８ｂと、スペーサ４８ｃを主な基本構成としている。
Ｌ字部材４８ａは、一方の面をトルクレンチの平面視で上面に固定させて、他方の面をトルクレンチの側面と所定の間隔を開けて平行に配置させている。Ｌ字部材４８ａの一方の面には、後述する送信手段４９が取り付けられている。またＬ字部材４８ａの他方の面には、トルクレンチのコマ４０ａの延出方向と平行となる長孔４８ｄが２つ形成されている。２つの長孔４８ｄには各々ネジ４８ｅが挿入されて、Ｌ字部材４８ａの他方の面と、トルクレンチの側面との間の隙間に配置されるカバー４８ｂと螺合してＬ字部材４８ａにカバー４８ｂを取り付けることができる。カバー４８ｂは、識別コード読取部４６の上面及び下面を挟むように支持する略コ字形状に形成された部材である。ネジ４８ｅによって固定されるＬ字部材４８ａとカバー４８ｂの隙間にはスペーサ４８ｃを間に挟むことができる。このような構成の調整部４８によれば、スペーサ４８ｃの厚みを任意に設定したり、複数枚用いたりすることにより、Ｌ字部材４８ａとカバー４８ｂの間の間隔（Ｚ方向）を調整することができる。また、カバー４８ｂに挟まれた識別コード読取部４６の位置をトルクレンチの長手方向に沿って移動させることによってトルクレンチのコマ４０ａと識別コード読取部４６の間の距離（Ｘ方向）を調整することができる。さらに、長孔４８ｄに挿入するネジ４８ｅの位置を長孔４８ｄの長手方向に沿って移動させることによって、識別コード読取部４６とトルクレンチの間の距離（Ｙ軸方向）を調整することができる。以上の様に識別コード読取部４６の位置をＸ，Ｙ，Ｚ方向で調整することで、識別コード読取部４６の光学的特性（例えばビーム拡がり角度分解能など）に合わせて識別コード７０との位置関係を合わせることができる。
【００３３】
作業工具４０には、作業対象部品１４に対する作業が設定値に達したとき作業完了信号と、識別コード７０の識別情報を作業用端末２０の制御部２８へ送信可能な無線又は有線による送信手段４９が取り付けられている。これにより、作業工具４０と作業用端末２０の制御部２８を電気的に接続させることができる。
管理用端末５０は、管理者があらかじめ作業内容を登録することができる管理コンピュータである。管理用端末５０は、作業用端末２０との間で作業データ及び管理データを送信又は受信可能に構成されている。管理用端末５０は、読取部５２と、データ保存管理部５４と、データ入力部５６と、書類作成部５８を主な基本構成としている。
【００３４】
読取部５２は、作業用端末２０のデータ保存管理部２９から送信された作業データを読み取りするものである。作業データは、作業者が現場作業を行い記録された作業工具の測定値、作業対象物又は作業対象部品の撮像画像など作業用端末２０で作成されたデータである。
データ保存管理部５４は、作業用端末２０で作成された作業データと、あらかじめ設定され現場作業の管理データを保存管理するものである。
【００３５】
データ入力部５６は、作業の管理ＮＯ、作業内容、関連機器、作業対象、詳細作業などの管理データをあらかじめ入力するものである。
書類作成部５８は、作業用端末から読み取った作業データに基づいて作業データ管理リスト表などの作業日報などの書類を作成するものである。
次に、上記構成による本発明の作業管理システム１０を用いた作業管理方法について、以下説明する。
【００３６】
図６は管理用端末の（Ａ）ログイン画面及び（Ｂ）メニュー画面の説明図である。図７は管理用端末の（Ａ）作業登録画面及び（Ｂ）更新履歴画面の説明図である。図８は管理用端末の（Ａ）作業時間画面及び（Ｂ）詳細作業時間画面の説明図である。まず、図６（Ａ）に示すように、管理用端末５０で、監督者が管理システムにログインする。監督名の入力は、選択ボタン３００を押下して、あらかじめ登録されている複数の監督Ａ〜Ｇの中から選択してＯＫボタン３０１を押下すると完了する。そして暗証番号を入力してＯＫボタン３０２を押下すると、図６（Ｂ）に示すメニュー画面へ切り替わる。ログインすると、メニュー画面２００が表示される。メニュー画面２００は、登録、閲覧、データ出力、設定に大別されている。
【００３７】
登録は、作業登録ボタン２０１と、更新履歴ボタン３１０がある。作業登録ボタン２０１を押下すると図７（Ａ）の作業登録画面２０２に切り替わり、作業内容を登録することができる。また、更新履歴ボタン３１０を押下すると、図７（Ｂ）の更新履歴画面３１１に切り替わり、作業登録時の追加、編集、削除の履歴を表示させることができる。
閲覧は、作業時間ボタン３１２と、作業結果ボタン３１３と、要領書ボタン３１４がある。作業時間ボタン３１２を押下すると、図８（Ａ）の作業時間画面３１５に切り替わり、担当者（作業者、作業班長）の作業開始、作業終了、経過時間を表示させることができる。また詳細作業時間の参照ボタン３１６を押下すると、図８（Ｂ）の詳細作業時間画面３１７に切り替わり、担当者、一例として作業者Ａの作業対象部品（螺子ＮＯ１、螺子ＮＯ２）の作業開始、作業終了、経過時間を表示させることができる。
【００３８】
図６（Ｂ）に示す作業結果ボタン３１３を押下すると作業データを表示させることができる。また要領書ボタン３１４を押下すると、作業の要領書を表示させることができる。
データ出力は、ＣＳＶ出力ボタン３１８があり、押下するとＣＳＶ形式でデータを出力させることができる。
設定は、作業者資格設定ボタン３１９、トルクレンチ設定ボタン３２０、トルク値設定ボタン３２１、プラント設定ボタン３２２、作業分類設定ボタン３２３、インポートボタン３２４があり、各種設定することができる。
【００３９】
図７（Ａ）は、作業登録画面２０２であり、管理ＮＯ２０３、作業内容２０４、関連機器２０５、作業対象２０６、詳細作業２０７の項目が表示される。一例として、作業内容２０４がスクラム弁作業の場合、関連機器２０５及び作業対象２０６の項目が選択可能となっている。そして、作業対象２０６の項目において作業対象物となるスクラム弁を選択すると、詳細作業２０７に作業対象部品となるボンネット−ボディ締付ボルトやアクチュエータ蓋締付ボルトが表示される。なお、詳細作業２０７は、変更ボタン２０８を押下して他の詳細作業を複数選択することもできる。登録が完了した後、ＯＫボタン２０９を押下して作業内容を保存する。保存完了後は、図６（Ｂ）に示すメニュー画面２００へ戻る。
【００４０】
図５は本発明の作業用端末の作業工程のフロー図である。
作業用端末２０では、まず、作業関連者の登録を行う（ステップ１）。図９は作業用端末のログイン画面の説明図である。本実施形態では、監督２１０、作業班長２１１、作業者２１２の登録を行っている。図９（Ａ）に示すようにそれぞれ氏名２１３、暗証番号２１４を入力して登録ボタン２１５を押下する。作業者２１２については、複数登録することができる。登録が完了すると、監督２１０、作業班長２１１、作業者２１２の表示欄が変色する。そして図９（Ｂ）に示すように作業開始ボタン２１６が有効化して、作業を進行することができる。
【００４１】
図１０は作業用端末のチェックイン・チェックアウト画面の説明図である。図９（Ｂ）に示すチェックイン・チェックアウトボタン２１７を押下すると、図１０（Ａ）に示すようにチェックイン・チェックアウト画面２１８に切り替わる。管理用端末５０となる画面上の事務所ＰＣ欄２１９に作業項目が表示されている。そして、チェックアウトする作業項目を選択すると表示が変色し、最後にチェックアウトボタン２２０を押下すると、図１０（Ｂ）に示すように画面上の端末欄２２１にチェクアウトした作業項目が表示される。この作業により、管理用端末５０の作業項目データが作業用端末２０側に送信される。最後に戻るボタン２２２を押下し、チェックイン・チェックアウト画面２１８を閉じる。
【００４２】
図１１は作業用端末のログイン画面及び作業選択画面の説明図である。図１１（Ａ）に示すように有効となった作業開始ボタン２１６を押下すると、作業者による作業が開始されて（ステップ１００）、作業開始時間を記録し、作業時間計測が開始される（ステップ１０１）。
図１１（Ｂ）に示すように画面上には作業選択画面２２３が表示される。作業選択項目には、先ほどの管理用端末５０から読み込んだ作業項目の一覧が表示されている。作業を行う作業項目（本実施形態ではスクラム弁作業）を選択して表示欄を変色させた後、ＯＫボタン（次にボタン２２４）を押下する（ステップ２）。
【００４３】
図１２は作業用端末の作業前登録画面の説明図である。図１２（Ａ）に示すように作業前登録画面２２５では、作業内容２２６の欄にスクラム弁作業、関連機器２２７の欄に機器番号が表示されて選択した作業内容と関連機器を常時確認できるようにしている。そして、作業対象物の確認を行う（ステップ３）。作業対象登録を行うため、作業用端末２０に接続する撮像端末３０で関連機器（作業対象物）を撮影する。プレビュー画面２２８上に関連機器が表示されていることを確認した後、撮影ボタン２２９を押下して撮影する。
【００４４】
撮影した関連機器の画像が画面２３０上に反映される。次に図１２（Ｂ）に示すように詳細作業選択欄の詳細作業（本実施形態ではボンネット−ボディ締付ボルト２３１）を選択し（ステップ４）、ＯＫボタン（次へボタン２３２）を押下し、作業項目設定画面へ切替える。
本実施形態では、作業工具にトルクレンチを用いて説明する。図１３は作業用端末のトルクレンチ設定画面及び作業中画面の説明図である。トルクレンチ設定画面２３３では、まず作業者情報を入力して作業者登録を行う（ステップ５）。図１３（Ａ）に示すように表示画面上の作業者２３４、作業班長２３５、監督２３６項目の作業担当を選択する。本実施形態では作業者による締付作業を行い、ついで作業班長による締付作業について説明する。次に、作業工具の設定登録を行う。表示画面上のトルクレンチ設置登録の管理番号２３７を登録する。管理番号は、あらかじめ設定されたトルクレンチの管理番号であり、登録リストから選択することができる。そしてトルクレンチの管理番号を設定すると、選択したトルクレンチのトルク値の目標値２３８と範囲２３９が画面上に表示される。表示画面上の設定値２４０の欄には作業者が表示画面上のトルクレンチのトルク値の目標値２３８と範囲２３９を参照して、トルクレンチに設定したトルク値を入力して登録する（ステップ６）。設定値が入力されるとＯＫボタン（次へボタン２４１）が有効化する。なお、入力値が目標値と範囲に合わない場合ＯＫボタンは有効化しない。ＯＫボタンを押下すると、作業中画面へ切り替わる。
【００４５】
図１３（Ｂ）に示すように作業中画面２４２では、作業項目２４３、部品Ｎｏ２４４、監督・作業班長・作業者２４６の項目が表示されるほか、作業対象部品の部品数に相当する番号欄と、作業対象物と作業対象部品の図２４９（本実施形態では一例としてフランジに取り付けた１２本の締付ボルトの概略平面図）と、トルク値２５２と、作業者２５０が表示されている。これにより作業者は、作業中に設定したトルク値を常時確認することができる。
【００４６】
次にボルト締付作業を開始する（ステップ７）。作業全体の開始時間は図１１（Ａ）に示す作業用端末のログイン画面で有効となった作業開始ボタン２１６を押下すると、作業者による作業が開始されて（ステップ１００）、作業開始時間を記録し、作業時間計測が開始されている（ステップ１０１）。
ボルトの締付作業を始める前にあらかじめ識別治具８０を作業対象物１２に取り付けておく。作業者は、複数のボルトの中から任意のボルトを選択することができる。
【００４７】
作業者は締付作業で指定されたトルクレンチを用いて作業対象部品１４のボルトをすべて仮締めした後、任意のボルトの本締めを行う。
図１３（Ｂ）に示す作業中画面２４２に切り替わると、ボルトの締付開始時間が記録される（ステップ１０２）。そして、作業者がトルクレンチを用いてボルトを締め付ける締付作業を実施する。ボルトの締付が設定値に達するとリミットスイッチが動作して（ステップ１０３）、締付解除となり、トルク値の測定値となる締付完了信号が作業用端末２０の制御部２８へ送信される。
【００４８】
制御部２８へ作業完了信号が送信されると、作業用端末２０の画面上のボルト番号１のボックス２４８が着色などのように変化する。また、画面の図２４９に図示された作業対象物１２のボルト番号１に想到する箇所に選択マーク（○印）２５４が付されて作業中の締付ボルトを認識することができる。
なお再作業ボタン２５１は、締付作業中のボルトの作業を継続することができないなどの理由が生じて、作業をやり直す際に押下するものである。
【００４９】
図１４は作業用端末の作業中画面における（Ａ）締付作業の実施の説明図及び（Ｂ）作業終了の説明図である。締付完了信号は、作業工具４０の工具制御部４４にも送信される。リミットスイッチ４２の作業完了信号が入力されると、工具制御部４４から識別コード読取部４６へ起動させる制御信号が送信される。識別コード読取部４６が作業対象部品の各々に取り付けられた識別コードを読み取る。読み取った識別コードの位置情報が作業用端末２０の制御部２８へ送信される。制御部２８では、識別コードの位置情報から締付作業が完了したボルトを認識し（ステップ１０４）、ボルト番号１のボックス２４８が他の着色などのように変化する。
【００５０】
次に締付作業が完了したボルトを写真撮影する（ステップ１０５）。撮像端末３０から作業用端末２０の画像保存部２６へ撮像画像が送信される。この写真撮影が４秒間以内であるか否かの判定が行われる（ステップ１０６）。写真撮影が識別コードの読取りから４秒間以内であれば、締付作業が完了したボルトの写真撮影が完了したと判断される（ＹＥＳ）。一方、４秒間よりも長ければ、締付作業を行ったボルトの写真を撮影したものとは判断されない。この場合、再度、ボルトの締付け作業を行って、リミットスイッチ動作の工程に戻る（ＮＯ）。
【００５１】
図１４（Ａ）に示すように写真を撮像・保存した時点でボルト番号１のボックス２４８に作業が完了したことを表す完マーク２５７と、及び作業対象物１２の図中の作業対象部品１４上の選択マーク（○印）が塗りつぶされた完了マーク２５８が表示されると、ボルトの締付終了時間を記録する（ステップ１０７）。また、締付作業が完了した作業対象部品の完了マーク２５８の近くには撮像した写真を参照できるアイコン２５９が付けられる。そして、ボルト番号１〜１２の順番で締付作業を行う場合、次に作業を行うボルト番号２のボックス２６０が着色するなどのように変化し、作業対象物の図中の作業対象部品上の選択マーク２６１（○印）が付けられる。
【００５２】
そして作業用端末２０のデータ保存管理部２９では、制御部２８で作成された写真付きの作業データが一時記録される（ステップ１０８）。その後、作業回数カウンターにより締付ボルトの締付作業数がカウントされる（ステップ１０９）。
次に締付ボルト数の判定が行われる。具体的な締付ボルト数の判定は、あらかじめ登録されている作業対象部品のボルト数（ステップ１１０）と実際に行った作業回数の差分をとって残りの作業回数を判定することができる（ステップ１１１）。
【００５３】
判定の結果、ボルトの締付作業を行う場合には、ボルト番号２からボルト番号１２について、ステップ１０３からステップ１０９までの作業を繰り返して行う。
図１４（Ｂ）に示すように複数のボルトの締付作業が全て完了した場合、作業中画面上には全てのボルト番号の表示欄に完マーク２５７と、作業対象物の図中の全ての作業対象部品に完了マーク２５８が付される。そして作業完了のポップアップ画面２６２が表示される。ＯＫボタン２６３を押下するとポップアップ画面が閉じられる。表示画面上の作業終了ボタン２６４を押下すると、図１３（Ａ）に示すトルクレンチ設定画面２３３へ切り替わる。作業者による締付作業が終了すると、作業者２３４の表示が変化して作業が完了していることを確認できる。そして作業者の作業終了後、作業班長による締付作業を行う場合には、図１３（Ａ）に示す作業者登録の作業班長２３５の作業担当を選択する。作業班長についても作業者同様の締付作業を行う。
【００５４】
作業班長による締付作業が完了し、図１４（Ｂ）に示す表示画面上の作業終了ボタン２６４を押下すると、図１１（Ｂ）に示す作業選択画面２２３へ切り替わる。作業選択画面上の作業完了ボタン２６５を押下すると作業時間計測が終了して（ステップ１１２）、作業者の作業終了時間が記録され、選択した作業項目の作業が終了する（ステップ１１３）。
全ての詳細作業が終了してデータが入力されると、作業が終了する（ステップ８）。
【００５５】
図１７は作業データ管理リスト表の説明図である。管理用端末５０の書類作成部５８では、作業用端末２０から読み取った作業データに基づいて作業データ管理リスト表などの作業日報などの書類を作成している。本実施形態の作業データ管理リスト表は、一例として、詳細作業項目の作業対象部品ごとに、担当者、作業開始時間、作業終了時間、トルクレンチ管理番号、トルク値、写真記録が表示されている。
このような本発明の作業管理システムによれば、表示画面上に図示された作業対象物から作業中の作業対象部品を容易に認識することができる。また、作業用端末を用いて容易に作業時の測定値や作業後の画像を記録することができる。そして作業後、表示画面上に作業済みの作業対象部品をマーキングすることにより作業対象物の複数の作業対象部品を特定することができる。従って、ネジの締め忘れなどの作業不具合を防止して、作業記録を容易に作成することができる。
【産業上の利用可能性】
【００５６】
本発明は、特に、例えば、複数のボルトが取り付けられた設備機器を点検作業して記録する際に、広く適用することができる。
【符号の説明】
【００５７】
１０………作業管理システム、１２………作業対象物、１４………作業対象部品、２０………作業用端末、２２………読取部、２４………データ入力部、２６………画像保存部、２８………制御部、２９………データ保存管理部、３０………撮像端末、４０………作業工具、４０ａ………コマ、４２………リミットスイッチ、４４………工具制御部、４６………識別コード読取部、４８………調整部、４８ａ………Ｌ字部材、４８ｂ………カバー、４８ｃ………スペーサ、４８ｄ………長孔、４８ｅ………ネジ、４９………送信手段、５０………管理用端末、５２………読取部、５４………データ保存管理部、５６………データ入力部、５８………書類作成部、７０………識別コード、８０，８０Ａ………識別治具、８２，８２Ａ………筒体、８４………治具本体、８６………着脱手段、２００………メニュー画面、２０１………作業登録ボタン、２０２………作業登録画面、２０３………管理ＮＯ、２０４………作業内容、２０５………関連機器、２０６………作業対象、２０７………詳細作業、２０８………変更ボタン、２０９………ＯＫボタン、２１０………監督、２１１………作業班長、２１２………作業者、２１３………氏名、２１４………暗証番号、２１５………登録ボタン、２１６………作業開始ボタン、２１７………チェックイン・チェックアウトボタン、２１８………チェックイン・チェックアウト画面、２１９………事務所ＰＣ欄、２２０………チェックアウトボタン、２２１………端末欄、２２２………戻るボタン、２２３………作業選択画面、２２４………次にボタン、２２５………作業前登録画面、２２６………作業内容、２２７………関連機器、２２８………プレビュー画面、２２９………撮影ボタン、２３０………画面、２３１………ボンネット−ボディ締付ボルト、２３２………次へボタン、２３３………トルクレンチ設定画面、２３４………作業者、２３５………作業班長、２３６………監督、２３７………管理番号、２３８………目標値、２３９………範囲、２４０………設定値、２４１………次へボタン、２４２………作業中画面、２４３………作業項目、２４４………部品Ｎｏ、２４６………監督・作業班長・作業者、２４８………ボックス、２４９………図、２５０………作業者、２５１………再作業ボタン、２５２………トルク値、２５４………選択マーク（○印）、２５７………完マーク、２５８………完了マーク、２５９………アイコン、２６０………ボックス、２６１………選択マーク（○印）、２６２………ポップアップ画面、２６３………ＯＫボタン、２６４………作業終了ボタン、２６５………作業完了ボタン、３００………選択ボタン、３０１………ＯＫボタン、３０２………ＯＫボタン、３１０………更新履歴ボタン、３１１………更新履歴画面、３１２………作業時間ボタン、３１３………作業結果ボタン、３１４………要領書ボタン、３１５………作業時間画面、３１６………参照ボタン、３１７………詳細作業時間画面、３１８………ＣＳＶ出力ボタン、３１９………作業者資格設定ボタン、３２０………トルクレンチ設定ボタン、３２１………トルク値設定ボタン、３２２………プラント設定ボタン、３２３………作業分類設定ボタン、３２４………インポートボタン。
【図１】
2014170446.tif 000003
【図２】
2014170446.tif 000004
【図３】
2014170446.tif 000005
【図４】
2014170446.tif 000006
【図５】
2014170446.tif 000007
【図６】
2014170446.tif 000008
【図７】
2014170446.tif 000009
【図８】
2014170446.tif 000010
【図９】
2014170446.tif 000011
【図１０】
2014170446.tif 000012
【図１１】
2014170446.tif 000013
【図１２】
2014170446.tif 000014
【図１３】
2014170446.tif 000015
【図１４】
2014170446.tif 000016
【図１５】
2014170446.tif 000017
【図１６】
2014170446.tif 000018
【図１７】
2014170446.tif 000019